(57)【要約】      （修正有）【課題】プラズマディスプレイ装置及びその駆動方法を提供する。【解決手段】プラズマディスプレイ装置はプラズマディスプレイパネルと、前記プラズマディスプレイパネルにサステインパルスが供給される時、一つのサステインパルスによって複数の放電が発生するように第１エネルギー貯蔵部と第２エネルギー貯蔵部が備えたエネルギー回収回路を含んだスキャン駆動部及びサステイン駆動部を含み、装置の駆動方法はプラズマディスプレイパネルにサステインパルス供給の時一つのサステインパルスにピーキングパルスを含んで複数の放電が発生するようにすることを特徴とする。【選択図】図５
2005331956.tif 000002
【特許請求の範囲】
【請求項１】
プラズマディスプレイパネルと、 
前記プラズマディスプレイパネルにサステインパルスが供給される時、一つのサステインパルスによって複数の放電が発生するように第１エネルギー貯蔵部と第２エネルギ 貯蔵部とを備えたエネルギー回収回路を含んだスキャン駆動部及びサステイン駆動部と、
を含むことを特徴とするプラズマディスプレイ装置。 
【請求項２】
前記エネルギー回収回路では、
前記第１エネルギー貯蔵部に貯蔵されたエネルギーを前記プラズマディスプレイパネルに供給して、前記プラズマディスプレイパネルに供給されたエネルギーを前記第１エネルギー貯蔵部に回収して貯蔵されるようにするエネルギー回収スイチング部と、 
前記第１エネルギー貯蔵部に貯蔵されたエネルギーを前記プラズマディスプレイパネルに供給した後、前記第２エネルギー貯蔵部に貯蔵されていたエネルギーを前記プラズマディスプレイパネルに供給するピーキングパルス印加部と、 
前記ピーキングパルス印加部によって前記第２エネルギー貯蔵部に貯蔵されていたエネルギーが前記プラズマディスプレイパネルに印加される時、ピーキングパルスを発生させる共振部と、前記ピーキングパルス発生以後、サステイン電圧で維持されて前記プラズマディスプレイパネルに供給されたエネルギーが前記第１エネルギー貯蔵部に回収された後、前記プラズマディスプレイパネルがグラウンドレベルになるようにするサステイン駆動回路を含むことを特徴とする、請求項１記載のプラズマディスプレイ装置。 
【請求項３】
前記エネルギー回収スイチング部は第１スイチング素子と第２スイチング素子を含み、
前記第１スイチング素子のボディーダイオードと前記第２スイチング素子のボディーダイオードとはグランドに対して逆方向に接続されていることを特徴とする、請求項２記載のプラズマディスプレイ装置。 
【請求項４】
前記第１スイチング素子は、前記プラズマディスプレイパネルに前記第１エネルギー貯蔵部に貯蔵されたエネルギーが供給される時ターンーオンされて、
前記第２スイチング素子は、前記プラズマディスプレイパネルに供給されたエネルギーが前記第１エネルギー貯蔵部に回収されて貯蔵される時、ターンーオンされることを特徴とする、請求項３記載のプラズマディスプレイ装置。 
【請求項５】
前記ピーキングパルスの電圧は前記サステイン電圧より大きいことを特徴とする、請求項２記載のプラズマディスプレイ装置。 
【請求項６】
プラズマディスプレイパネルにサステインパルスを供給する時、一つのサステインパルスにピーキングパルスを含んで複数の放電が発生するようにすることを特徴とする、プラズマディスプレイ装置の駆動方法。 
【請求項７】
前記プラズマディスプレイパネルへのサステインパルス供給は、
第１エネルギー貯蔵部に貯蔵されたエネルギーを前記プラズマディスプレイパネルに供給する段階と、
前記第１エネルギー貯蔵部に貯蔵されたエネルギーを前記プラズマディスプレイパネルに供給した後、第２エネルギー貯蔵部に貯蔵されていたエネルギーを前記プラズマディスプレイパネルに供給してピーキングパルスを発生させる段階と、
前記ピーキングパルス発生以後、前記プラズマディスプレイパネルがサステイン電圧で維持された後、グラウンドレベルになる段階と、
を含むことを特徴とする請求項６記載のプラズマディスプレイ装置の駆動方法。 
【請求項８】
前記複数放電の回収は２回であることを特徴とする、請求項６記載のプラズマディスプレイ装置の駆動方法。 
【請求項９】
前記ピーキングパルスの電圧は前記サステイン電圧より大きいことを特徴とする、請求項７記載のプラズマディスプレイ装置の駆動方法。 
【発明の詳細な説明】
【技術分野】
【０００１】
本発明はプラズマディスプレイ装置及びその駆動方法に関する。
【背景技術】
【０００２】
一般的にプラズマディスプレイパネル(ＰＬａＳｍａ  ＤｉＳｐＬａＹ  ＰａＮｅＬ：以下"ＰＤＰ"だとする)はＨｅ+ＸｅまたはＮｅ+Ｘｅ不活性混合ガスの放電の時発生する１４７ｎｍの紫外線によって蛍光体を発光させることで文字またはグラフィックを含んだ画像を表示するようになる。 
【０００３】
図１は、従来マトリックス形態に配列された放電セル構造を持つ３電極交流面放電型ＰＤＰの構造を示す斜視図である。
【０００４】
図１を参照すれば、３電極交流面放電型ＰＤＰ１００は上部基板１０上に形成されたスキャン電極１１ａ及びサステイン電極１２ａと、下部基板２０上に形成されたアドレス電極２２とを備える。スキャン電極１１ａとサステイン電極１２ａそれぞれは、透明電極、例えば、インジウムティンオキサイド(Ｉｎｄｉｕｍ−Ｔｉｎ−ＯＸｉｄｅ：ＩＴＯ)により形成される。スキャン電極１１ａとサステイン電極１２ａそれぞれには、抵抗を減らすための金属バス電極(１１ｂ、１２ｂ)が形成される。スキャン電極１１ａとサステイン電極１２ａが形成された上部基板１０には上部誘電体層１３ａと保護膜１４とが積層される。上部誘電体層１３ａには、プラズマ放電の時発生された壁電荷が蓄積される。保護膜１４は、プラズマ放電の時発生されたスパッタリング（Ｓｐｕｔｔｅｒｉｎｇ）による上部誘電体層１３ａの損傷を防止することと同時に、２次電子の放出效率を高めるようになる。保護膜１４には通常酸化マグネシウム(ＭＧＯ)が利用される。
【０００５】
一方、アドレス電極２２が形成された下部基板２０上には、下部誘電体層１３ｂ、隔壁２１が形成されて、下部誘電体層１３ｂと隔壁２１の表面には蛍光体層２３が塗布される。アドレス電極２２は、スキャン電極１１ａ及びサステイン電極１２ａと交差される方向に形成される。隔壁２１は、アドレス電極２２と並んで形成され、放電によって生成された紫外線及び可視光が接した放電セルに漏洩することを防止する。蛍光体層２３は、プラズマ放電の時発生された紫外線によって励起されて、赤色(Ｒ)、緑(Ｇ)または青色(Ｂ)中何れか一つの可視光線を発生するようになる。上部基板１０と下部基板２０との間において隔壁２１によって区画された放電セルの放電空間には、放電のためのＨｅ+ＸｅまたはＮｅ+Ｘｅなどの不活性混合ガスが注入される。このような構造を持つ従来ＰＤＰの駆動方法をよく見れば図２のようである。
【０００６】
図２は、従来のＰＤＰの駆動方法を説明するための駆動波形である。図２をよく見れば、従来ＰＤＰは全画面を初期化させるためのリセット期間、セルを選択するためのアドレス期間、及び、選択されたセルの放電を維持させるためのサステイン期間で分けられて駆動される。
【０００７】
先ず、リセット期間は、セットアップ期間(ＳＵ)とセットダウン期間(ＳＤ)とに分けられて駆動され、セットアップ期間(ＳＵ)にはすべてのスキャン電極(Ｙ)に上昇ランプ波形(Ｒａｍｐ−ｕｐ)が同時に印加される。この上昇ランプ波形によって全画面のセル内には放電が起きる。このセットアップ放電によってアドレス電極(Ｘ)とサステイン電極(Ｚ)上には正極性壁電荷が積もるようになって、スキャン電極(Ｙ)上には負極性の壁電荷が積もるようになる。上昇ランプ波形が供給された後、セットダウン期間(ＳＤ)には、上昇ランプ波形のピーク電圧より低い正極性電圧から落ち始めて基底電圧(ＧＮＤ)または負極性の特定電圧レベルまで落ちる下降ランプ波形(Ｒａｍｐ−ｄｏｗｎ)がセル内に微弱な消去放電を起こすことで、過度に形成された壁電荷を一部消去させるようになる。このセットダウン放電によってアドレス放電が安定に起きることができるほどの壁電荷がセル内に均一に残留される。
【０００８】
アドレス期間は、負極性スキャンパルス(Ｓｃａｎ)がスキャン電極(Ｙ)に順に印加されることと同時に、スキャンパルスに同期されてアドレス電極(Ｘ)に正極性のデータパルス(ｄａｔａ)が印加される。このスキャンパルスとデータパルスとの電圧差と、リセット期間に生成された壁電圧とが加わりながら、データパルスが印加されるセル内にはアドレス放電が発生される。アドレス放電によって選択されたセル内にはサステイン電圧が印加される時に放電が起きることができるようにする程度の壁電荷が形成される。サステイン電極(Ｚ)には、セットダウン期間及びアドレス期間の間には、スキャン電極(Ｙ)との電圧差を減らしてスキャン電極(Ｙ)との誤放電が起きないようにするために、正極性直流電圧(Ｚｄｃ)が供給される。
【０００９】
サステイン期間は、スキャン電極(Ｙ)とサステイン電極(Ｚ)に交互にサステインパルス(ｓｕｓ)が印加される。アドレス放電によって選択されたセルは、セル内の壁電圧とサステインパルスとが加わりながら、毎サステインパルスが印加される毎にスキャン電極(Ｙ)とサステイン電極(Ｚ)の間にサステイン放電すなわち、表示放電が起きるようになる。また、サステイン放電が完了する後には、パルス幅と電圧レベルが小さなランプ波形(Ｒａｍｐ−ｅＲＳ)がサステイン電極(Ｚ)に供給されて全画面のセル内に残る壁電荷を消去させるようになる。
【００１０】
一方、上述したサステイン期間の間、スキャン電極またはサステイン電極に印加されるサステインパルスを発生させるためのエネルギー回収回路部をよく見れば図３のようである。
【００１１】
図３は従来プラズマディスプレイ装置に含まれたエネルギー回収回路部を示す図である。図３を参照すれば、エネルギー回収回路部の動作は４段階からなる。 
【００１２】
先ず、第１段階では、第１スィッチ(Ｓ１)がターンーオンされて、第２乃至は第４スィッチ(Ｓ２、Ｓ３、Ｓ４)はターンオフされる。このようにスィッチが作動すればＬＣ共振が発生して、キャパシター(Ｃｓ)に貯蔵されたエネルギーがインダクター(Ｌ)を通じてプラズマディスプレイパネルのキャパシター(Ｃｐ)に充電される。 
【００１３】
この後、第２段階では、第３スィッチ(Ｓ３)がターンーオンされて、第１、第２及び第４スィッチ(Ｓ１、Ｓ２、Ｓ４)はターンオフされる。このようにスィッチが作動すればターンーオンされた第３スィッチを通じて、サステイン電圧であるＶｓがプラズマディスプレイパネルのキャパシター(Ｃｐ)に供給される。
【００１４】
第３段階では、第２スィッチ(Ｓ２)がターンーオンされて、第１、第３及び第４スィッチ(Ｓ１、Ｓ３、Ｓ４)がターンオフされる。このようにスィッチが作動すれば、キャパシター(Ｃｐ)のエネルギーがインダクター(Ｌ)を通じてキャパシター(Ｃｓ)で放電してエネルギーが回収される。 
【００１５】
最後に第４段階では、第４スィッチ(Ｓ４)がターンーオンされて第１乃至第３スィッチ(Ｓ１、Ｓ２、Ｓ３)はターンオフされる。このようにスィッチが作動すればキャパシター(Ｃｐ)の電位はグラウンドレベルに落ちる。 
【００１６】
このような過程を通じて従来のエネルギー回収回路部はサステインパルスを供給する。
このような従来エネルギー回収回路部は、サステインパルスの下降期間にエネルギーを回収した後、上昇期間に回収したエネルギーを利用してサステインパルスを供給することで消費電力を減らす。 
【００１７】
しかしこのような従来のエネルギー回収回路部は、回収されるエネルギーがＶｓ/２より小さいか同等、即ちＶｓ／２以下であるから、エネルギー效率を上昇させることに限界がある。 
【発明の開示】
【発明が解決しようとする課題】
【００１８】
本発明は、前記のような問題点を解決するために、その目的はエネルギー效率を進める同時に輝度を進めることができるプラズマディスプレイ装置及びその駆動方法を提供するのである。
【課題を解決するための手段】
【００１９】
本発明によるプラズマディスプレイ装置はプラズマディスプレイパネルと前記プラズマディスプレイパネルにサステインパルスが供給される時、一つのサステインパルスによって複数の放電が発生するように第１エネルギー貯蔵部と第２エネルギー貯蔵部が備えたエネルギー回収回路を含んだスキャン駆動部及びサステイン駆動部を含む。 
【００２０】
本発明によるプラズマディスプレイ装置の駆動方法はプラズマディスプレイパネルにサステインパルス供給の時一つのサステインパルスにピーキングパルスを含んで複数の放電が発生するようにすることを特徴とする。 
【００２１】
前記エネルギー回収回路では前記第１エネルギー貯蔵部に貯蔵されたエネルギーをプラズマディスプレイパネルに供給して、前記プラズマ表示パネルに供給されたエネルギーを前記第１エネルギー貯蔵部に回収して貯蔵されるようにするエネルギー回収スイチング部；前記第１エネルギー貯蔵部に貯蔵されたエネルギーをプラズマディスプレイパネルに供給した後、前記第２エネルギー貯蔵部に貯蔵されていたエネルギーを前記プラズマ表示パネルに供給するピーキングパルス印加部；前記ピーキングパルス印加部によって前記第２エネルギー貯蔵部に貯蔵されていたエネルギーが前記プラズマ表示パネルに印加される時ピーキングパルスを発生させる共振部；及び前記ピーキングパルス発生以後、サステイン電圧で維持されて前記プラズマ表示パネルに供給されたエネルギーが前記第１エネルギー貯蔵部に回収された後前記プラズマディスプレイパネルがグラウンドレベルになるようにするサステイン駆動部を含むことを特徴とする。 
【００２２】
前記エネルギー回収スイチング部は第１スイチング素子と第２スイチング素子を含み、前記第１スイチング素子のボディーダイオードと前記第２スイチング素子のボディーダイオードは逆方向を持つことを特徴とする。
【００２３】
前記第１スイチング素子は前記プラズマディスプレイパネルに前記第１エネルギー貯蔵部に貯蔵されたエネルギーが供給される時ターンーオンされて、前記第２スイチング素子は前記プラズマ表示パネルに供給されたエネルギーが前記第１エネルギー貯蔵部に回収されて貯蔵される時ターンーオンされることを特徴とする。
【００２４】
前記ピーキングパルスの電圧は前記サステイン電圧より大きいことを特徴とする。 
【００２５】
前記プラズマディスプレイパネルにサステインパルス供給は第１エネルギー貯蔵部に貯蔵されたエネルギーをプラズマディスプレイパネルに供給する段階；前記第１エネルギー貯蔵部に貯蔵されたエネルギーをプラズマディスプレイパネルに供給した後、第２エネルギー貯蔵部に貯蔵されていたエネルギーを前記プラズマ表示パネルに供給してピーキングパルスを発生させる段階；及び前記ピーキングパルス発生以後、前記プラズマディスプレイパネルがサステイン電圧で維持された後グラウンドレベルになる段階を含むことを特徴とする。 
【００２６】
前記複数放電の回収は２回であることを特徴とする。 
【００２７】
前記ピーキングパルスの電圧は前記サステイン電圧より大きいことを特徴とする。 
【発明の効果】
【００２８】
このような本発明はプラズマディスプレイパネルにサステインパルス供給の時ピーキングパルスを利用して複数放電が起きるようにしてエネルギー效率と輝度を進めることができる。 
【発明を実施するための最良の形態】
【００２９】
以下、本発明の実施例を添付した図面を参照して詳細に説明する。
【００３０】
図４は本発明によるプラズマディスプレイ装置を概略的に示す図である。
【００３１】
図４で見るように、本発明によるプラズマディスプレイ装置は、プラズマディスプレイパネル１００と、プラズマディスプレイパネル１００の下部基板(未図示)に形成されたアドレス電極(Ｘ１乃至Ｘｍ)にデータを供給するためのデータ駆動部１２２と、スキャン電極(Ｙ１乃至Ｙｎ)を駆動するためのスキャン駆動部１２３と、共通電極であるサステイン電極(Ｚ)を駆動するためのサステイン駆動部１２４と、プラズマディスプレイパネル駆動の時データ駆動部１２２、スキャン駆動部１２３、サステイン駆動部１２４を制御するためのタイミングコントロール部１２１と、それぞれの駆動部(１２２、１２３、１２４)に必要な駆動電圧を供給するための駆動電圧発生部１２５とを含む。 
【００３２】
プラズマディスプレイパネル１００は、上部基板(未図示)と下部基板(未図示)が一定な間隔を置いて合着されて、上部基板には複数の電極、例えば、スキャン電極(Ｙ１乃至Ｙｎ)及びサステイン電極(Ｚ)が対を成して形成されて、下部基板にはスキャン電極(Ｙ１乃至Ｙｎ)及びサステイン電極(Ｚ)と交差されるようにアドレス電極(Ｘ１乃至Ｘｍ)が形成される。 
【００３３】
データ駆動部１２２には、図示しない逆ガンマ補正回路、誤差拡散回路等によって逆ガンマ補正及び誤差拡散されたた後、サブフィールドマッピング回路によって各サブフィールドにマッピングされたデータが供給される。このようなデータ駆動部１２２は、タイミングコントロール部１２１からのタイミング制御信号(ＣＴＲＸ)に応答して、データをサンプリングしてラッチした後、そのデータをアドレス電極(Ｘ１乃至Ｘｍ)に供給する。
【００３４】
スキャン駆動部１２３は、タイミングコントロール部１２１の制御の下に、リセット期間の間、上昇ランプ波形(Ｒａｍｐ−ｕｐ)と下降ランプ波形(Ｒａｍｐ−ｄｏｗｎ)をスキャン電極(Ｙ１乃至Ｙｎ)に供給する。また、スキャン駆動部１２３は、タイミングコントローラ１２１の制御の下にアドレス期間の間、スキャン電圧(−ＶＹ)のスキャンパルス(Ｓｐ)をスキャン電極(Ｙ１乃至Ｙｎ)に順次に供給して、サステイン期間の間には、内部に備えたエネルギー回収回路部によって発生されたサステインパルスをスキャン電極に供給する。この時、一つのサステインパルスは、ピーキングパルスを含んでおり、複数回の放電が起きるようになる。 
【００３５】
サステイン駆動部１２４は、タイミングコントロール部１２１の制御の下に、下降ランプ波形(Ｒａｍｐ−ｄｏｗｎ)が発生される期間及びアドレス期間の間、サステイン電圧(Ｖｓ)のバイアス電圧をサステイン電極(Ｚ)に供給する。また、サステイン期間の間、サステイン駆動部１２４の内部に備えたサステイン駆動回路が、スキャン駆動部１２３の内部に備えたサステイン駆動回路と交互に動作して、サステインパルス(ｓｕｓ)をサステイン電極(Ｚ)に供給する。この時も、一つのサステインパルスはピーキングパルスを含み、複数回の放電が起きるようになる。 
【００３６】
一方、上述したのように、スキャン駆動部やサステイン駆動部に含まれたエネルギー回収回路部によって、発生されたすべてのサステインパルスにピーキングパルスが含まれるようにして、スキャン電極やサステイン電極ともに供給することができるが、場合によってはスキャン電極にだけあるいはサステイン電極にだけ供給することができ、前記エネルギー回収回路部によって発生されたすべてのサステインパルスではない一部のサステインパルスにだけピーキングパルスを包含させて、スキャン電極またはサステイン電極に供給することができる。 
【００３７】
タイミングコントロール部１２１は、垂直/水平同期信号とクロック信号の入力を受けて、リセット期間、アドレス期間、サステイン期間で各駆動部(１２２、１２３、１２４)の動作タイミングと同期化とを制御するためのタイミング制御信号(ＣＴＲＸ、ＣＴＲＹ、ＣＴＲＺ)を発生して、そのタイミング制御信号(ＣＴＲＸ、ＣＴＲＹ、ＣＴＲＺ)を該当の駆動部(１２２、１２３、１２４)に供給することで各駆動部(１２２、１２３、１２４)を制御する。 
【００３８】
一方、データ制御信号(ＣＴＲＸ)には、データをサンプリングするためのサンプリングクロック、ラッチ制御信号、サステイン駆動回路と駆動スィッチ素子のオン／オフタイムを制御するためのスイッチ制御信号が含まれる。スキャン制御信号(ＣＴＲＹ)には、スキャン駆動部１２３内のサステイン駆動回路と駆動スィッチ素子のオン／オフタイムを制御するためのスイッチ制御信号が含まれる。サステイン制御信号(ＣＴＲＺ)には、サステイン駆動部１２４内のサステイン駆動回路と駆動スィッチ素子のオン／オフタイムを制御するためのスイッチ制御信号が含まれる。
【００３９】
駆動電圧発生部１２５は、セットアップ電圧(Ｖｓｅｔｕｐ)、スキャン共通電圧(Ｖｓｃａｎ−ｃｏｍ)、スキャン電圧(−ＶＹ)、サステイン電圧(Ｖｓ)、データ電圧(Ｖｄ)などを発生する。このような駆動電圧は、放電ガスの組成や放電セル構造によって変わることができる。 
【００４０】
このような構造を持つプラズマディスプレイ装置では、スキャン駆動部及びサステイン駆動部に含まれたエネルギー回収回路部と、エネルギー回収回路部の動作によって発生されたサステインパルスの波形図とが、それぞれ、図５及び図６のようになる。
【００４１】
図５は本発明によるエネルギー回収回路部の回路図であり、図６は本発明のエネルギー回収回路部の動作による波形図である。 
【００４２】
本発明によるエネルギー回収回路部は、図５に示されたのようにピーキングパルスを印加するためのピーキングパルス印加部２１５、エネルギー回収スイチング部２３０及び第１エネルギー貯蔵部２１０を含み、パネル(Ｃｐ)の充放電の時、第１エネルギー貯蔵部２１０の第１キャパシター(Ｃｓ１)と第２エネルギー貯蔵部２３５の第２キャパシター(Ｃｓ２)にエネルギーを貯蔵させた後、再度パネル(Ｃｐ)を駆動するのに使用する。この時、エネルギー回収スイチング部２３０は、二つのＦＥＴスイチング素子を含む。 
【００４３】
先ず、エネルギー回収スイチング部２３０の第４スィッチ(Ｑ４)がターンーオンすれば、第１エネルギー貯蔵部２１０の第１キャパシター(Ｃｓ１)は貯蔵されたエネルギーを、第４スィッチ(Ｑ４)と、第３スィッチ(Ｑ３)のボディーダイオード(ＤＥＲ１)と、インダクタＬとを通じて、パネル(Ｃｐ)に供給する。
【００４４】
次に、ピーキングパルス印加部２１５のピーキングパルス用スィッチ(Ｑｐ)がターンーオンすれば、第２エネルギー貯蔵部２３５の第２キャパシター(Ｃｓ２)に貯蔵されていたエネルギーが共振部２２０のコイル(Ｌ)とスキャン電極を通じてパネル(Ｃｐ)に注入されながら、ＬＣ共振によってサステイン電圧より大きいピーキングパルスがスキャン電極に印加される。 
【００４５】
このように、ピーキングパルス印加部２１５のピーキングパルス用スィッチ(Ｑｐ)がターンーオンされれば第１エネルギー貯蔵部２１０の第１キャパシター(Ｃｓ１)は貯蔵されたエネルギーをピーキングパルス印加部２１５のピーキングパルス用スィッチ(Ｑｐ)を通じて第２キャパシター(Ｃｓ２)方向に供給する。 
【００４６】
すなわち、第１エネルギー貯蔵部２１０が所定の電圧をパネル(Ｃｐ)に加えた後、ピーキングパルス印加部２１５のピーキングパルス用スィッチ(Ｑｐ)がターンーオンすることでパネル(Ｃｐ)に瞬間的に加えられるピーク電流をある程度緩和させる。 
【００４７】
したがって、高電圧及び高電流のピーク電流によって発生されるノイズ成分が除去されることで、波形が安定化されて実際のサステイン駆動過程で発熱が殆ど発生しない。 
【００４８】
次に、ピーキングパルスの電圧が最高値に到逹した時、サステイン駆動回路２２５の第１スィッチ(Ｑ１)がターンーオンして、ピーキングパルス用スィッチ(Ｑｐ)と、エネルギー回収スイチング部２３０の第３スィッチ(Ｑ３)とがターンオフする。これに従って、サステイン電圧(Ｖｓ)がスキャン電極に印加される同時に、ピーキングパルス用スィッチ(Ｑｐ)のボディーダイオード(Ｄｐ)を通じて第２エネルギー貯蔵部２３５の第２キャパシター(Ｃｓ２)が充電される。 
【００４９】
この過程で二度のサステイン放電が起きる。すなわち、ピーキングパルスが印加される時点でサステイン放電が起き、サステイン電圧がＹ電極に印加される時もう一度サステイン放電が発生する。 
【００５０】
次に、エネルギー回収スイチング部２３０の第３スィッチ(Ｑ３)がターンーオンされれば、パネル(Ｃｐ)に充電された電荷が第３スィッチ(Ｑ３)と第４スィッチ(Ｑ４)のボディーダイオード(ＤＥＲ２)を通じて第１エネルギー貯蔵部２１０の第１キャパシター(Ｃｓ１)に充電されて、次のサステインパルス上昇の時に再使用される。 
【００５１】
すなわち、本発明によるエネルギー回収回路部は、パネル(Ｃｐ)充電時には、第１エネルギー貯蔵部２１０及び第２エネルギー貯蔵部２３５のエネルギーをすべて利用するが、パネル(Ｃｐ)放電の時には、パネル(Ｃｐ)に充電された電荷が再びエネルギー回収スイチング部２３０の第３スィッチ(Ｑ３)を通じて第１エネルギー貯蔵部２１０の第１キャパシター(Ｃｓ１)にだけエネルギーが貯蔵される。 
【００５２】
また、第２エネルギー貯蔵部２３５の第２キャパシター(Ｃｓ２)は、サステイン駆動部２２５の第１スィッチ(Ｑ１)がターンーオンされてサステイン電圧が印加される時点に、ピーキングパルス用スィッチ(Ｑｐ)のボディーダイオード(Ｄｐ)を通じて充電されて、第１スィッチ(Ｑ１)のスイチング時には、殆ど消費するエネルギーがなくなるので消費電力が減少する。
【００５３】
このような本発明のエネルギー回収回路部は、第１エネルギー貯蔵部２１０に貯蔵されたエネルギーを利用するので、図６の斜線の部分のように放電領域が拡がって明るさが上昇するようになる。 
【図面の簡単な説明】
【００５４】
【図１】従来マトリックス形態に配列された放電セル構造を持つ３電極交流面放電型ＰＤＰの構造を示す斜視図。
【図２】従来ＰＤＰの駆動方法を説明するための駆動波形を示す図。
【図３】従来プラズマディスプレイ装置に含まれたエネルギー回収回路部を示す図。
【図４】本発明によるプラズマディスプレー装置を示す図。
【図５】本発明によるエネルギー回収回路部の回路図。
【図６】本発明のエネルギー回収回路部の動作による波形図。
【図３】
2005331956.tif 000003
【図１】
2005331956.tif 000004
【図２】
2005331956.tif 000005
【図４】
2005331956.tif 000006
【図５】
2005331956.tif 000007
【図６】
2005331956.tif 000008